(57)【要約】【課題】    構造が簡単で、掃除効果の高い、吹出しノズル付きの吸込み式掃除機の吸引ノズルを提供する。【解決手段】掃除対象の面２０に向って、気体吐出機１３から吐出され、吹出し用ホース１３ａを通って、吹出しノズル１１ｂから噴出された空気によって、前記掃除対象の面２０に付着乃至固着していたダストが攪乱され、発塵し、吸込み用ホース１２ａを通って気体吸引機１２によって吸引されるよう、前記吹出しノズル１１ｂ、開口面１１ａを除き、包囲していると共に、吹出しノズル１１ｂは、細長い管状に形成されていて、しかも、その内部を空気が通過することによって、その付け根を基点に激しく揺れ動くよう可撓性を有している。【選択図】  図１
2005177428.tif 000002
【特許請求の範囲】
【請求項１】
気体吐出機から吐出され、吹出し用ホースを通って、吹出しノズルから掃除対象の面に向って噴出された空気によって、前記掃除対象の面に付着乃至固着していたダストが攪乱され、発塵し、吸込み用ホースを通って気体吸引機によって吸引されるよう、前記掃除対象の面に臨む開口面を除き、前記吹出しノズルを包囲する吸込み式掃除機の吸込みノズルであって、
吹出しノズル（１１ｂ，１１１ｂ，２１１ｂ）が、細長い管状に形成されていて、しかも、その内部を空気が通過することによって、その付け根を基点として激しく揺れ動くよう可撓性を有している
ことを特徴とする吸込み式掃除機の吸込みノズル。
【請求項２】
前記吹出しノズル（１１１ｂ，２１１ｂ）は、開口面（１１１ａ，２１１ａ）が前記掃除対象の面（２０）に接近するか、又は当接した状態で、空気が噴出されると、激しく揺れ動き、前記掃除対象の面（２０）を激しく叩き、摩擦する程度の長さを有する
ことを特徴とする、請求項１に記載の吸込み式掃除機の吸込みノズル。
【請求項３】
開口面（２１１ａ）の周囲に前記掃除対象の面（２０）に吸着、固定される吸盤（２１１ｅ）を備えている
ことを特徴とする、請求項１又は２に記載の吸込み式掃除機の吸込みノズル。
【発明の詳細な説明】
【技術分野】
【０００１】  本発明は、吸込み式掃除機の吸込みノズルであって、掃除対象の面に向って空気が吹付けられると共に、その吹付けられた空気が、ダストと共に吸引されるよう構成されたものの改良に関する。
【背景技術】
【０００２】  従来、吸込み式掃除機の吸引ノズルとして、その内部に空気が噴出されるものがあり、その効果として、増圧された空気の吹付けによってダストが吹き飛ばされるため、吸引のみのものよりもダストの除去効果が増大することが挙げられている。この方式のものとしては、極端な方式を二つ挙げれば、噴出用空気を供給する圧縮機等の気体吐出機が本体とは別に設けられるもの、気体吸引機の排気が圧縮機等で増圧されず、そのまま噴出ノズルへ戻されるものがあるが、その中間のものを含めて種々のものが提案されており、それぞれ一長一短がある。【０００３】  しかしながら、吹出しノズルについては、吸引ノズルの周縁部分で空気が噴出されるもの（例えば、特許文献１参照。）、さらに吸込みノズルが掃除対象の面を移動するときの摩擦で回転するブラシを備えたもの（例えば、特許文献２参照。）、半球状の吸引ノズル内中央付近に１本の吹出しノズルが設けられているもの（例えば、特許文献３参照。）細長い長方形のカバーの中央１列に多数の小吹出しノズルを挟むように、それぞれ細長く、両側にブラシ列、吸引口が設けられているもの（例えば、特許文献４参照。）、吸込みノズル内にそれぞれモータで回転される空気吹出し用のファンやブラシを備えたもの（例えば、特許文献５，６参照。）等があるが、あるものは、簡単過ぎ、しかも掃除の対象面に沿って移動させられなければ、効果があまり期待出来なかったり、他のものは、効果はあるかも知れないが、狭い空間に多くの部品が詰められ、構造的に複雑過ぎたりする。
【特許文献１】  特開２００１−１６９９７３号公報（図１）
【特許文献２】  特開２００２−２８２１７７号公報（図１及び図５）
【特許文献３】  実開平５−９５４５１号公報（図２）
【特許文献４】  特開２００２−２２３９９２号公報（図２）
【特許文献５】  特開平９−５１８６５号公報（請求項１及び図１）
【特許文献６】  特開平１０−１７３号公報（請求項１及び図１）
【発明の開示】
【発明が解決しようとする課題】
【０００４】  以上のことから、本発明は、上記した従来技術の欠点を除くために、構造が簡単で、掃除効果の高い、吹出しノズル付きの吸込み式掃除機の吸込みノズルを提供することにある。
【課題を解決するための手段】
【０００５】  上記の目的を達するために、請求項１の発明の吸込み式掃除機の吸込みノズルは、気体吐出機から吐出され、吹出し用ホースを通って、吹出しノズルから掃除対象の面に向って噴出された空気によって、前記掃除対象の面に付着乃至固着していたダストが攪乱され、発塵し、吸込み用ホースを通って気体吸引機によって吸引されるよう、前記掃除対象の面に臨む開口面を除き、前記吹出しノズルを包囲するものであって、
吹出しノズル１１ｂ，１１１ｂ，２１１ｂは、細長い管状に形成されていて、しかも、その内部を空気が通過することによって、その付け根を基点として激しく揺れ動くよう可撓性を有している。【０００６】  請求項２の発明は、請求項１の発明の構成に加えて、前記吹出しノズル１１１ｂ，２１１ｂは、前記開口面１１１ａ，２１１ａが掃除対象の面２０に接近するか、又は当接した状態で、空気が噴出されると、激しく揺れ動き、前記掃除対象の面２０を激しく叩き、摩擦する程度の長さを有する。【０００７】  請求項３の発明は、請求項１又は第２の発明の構成に加えて、開口面２１１ａの周囲に前記掃除対象の面２０に吸着、固定される吸盤２１１ｅを備えている。
【発明の効果】
【０００８】  以上のとおり請求項１の発明によれば、掃除対象の面２０に付着乃至固着していたダストが攪乱され、発塵するため、固定の吹出しノズルに比ベて、吸引ノズル１１，１１１，２１１が掃除対象の面２０に沿って前後左右に移動されなくても、それによって覆われた掃除対象の面２０内のダストを効果的に掃除可能である。【０００９】  請求項２の発明によれば、請求項１の発明の効果に加えて、空気の噴出によって激しく揺れ動く前記吹出しノズル１１１ｂ、２１１ｂによって、前記掃除対象の面２０が激しく叩かれ、摩擦されるため、前記掃除対象の面２０に固着したダストも剥離され、発塵し、容易に掃除可能である。【００１０】  請求項３の発明によれば、請求項１又は２の発明の効果に加えて、天井面や壁等、大きくて、重い吸引ノズルの支持が困難であった高所の掃除対象面２０に対しても吸盤２１１ｅによって容易に支持可能であり、吸引ノズルの支持の負担が著しく軽減され、作業が楽になる。
【発明を実施するための最良の形態】
【００１１】  本発明の第１の最良の形態例に関わる吸込み式掃除機の吸引ノズルについて図１により説明すると、吸引ノズル１１内に吹出しノズル１１ｂが突出しており、さらにその吹出しノズルから掃除対象の面２０に向って噴出された空気によって、前記掃除対象の面２０に付着乃至固着していたダストが攪乱され、発塵し、吸引ノズル１１によって吸引されるよう構成されたものであって、前記吹出しノズル１１ｂは、吸引ノズル１１によってその先端開口面１１ａの開口部分を除き、その周囲を囲まれているが、特にその吹出しノズル１１ｂは、細長い管状に形成されており、その内部を空気が通過することによって、その付け根１１ｄを基点として激しく揺れ動くよう、プラスチック等可撓性に優れたもので作られていることに特徴がある。【００１２】  補足すると、気体吸引機１２として、通常は吸引ファンが使用されるが、エジェクタ、真空ポンプでもよい。さらに、１０は本発明の吸引ノズル１１が組み込まれた吸込み式掃除機、１１ｃは複数の吹出しノズル１１ｂに加圧空気を分配するヘッダ、１１ｋは吸引された空気を集合するヘッダ、１２ａは吸引ノズル１１からの空気を気体吸引機１２に導く吸込み用ホース、１２ｂはダストを捕捉するフィルタ、１３は圧縮機等の気体吐出機、１３ａは前記ヘッダ１１ｃへ空気を送る吹出し用ホースである。なお、この吸引ノズル１１の外形については特に限定はなく、各種断面の円錐、角錐等の錐（又は錐台）状、箱状又は半球状等のいずれでもよい。【００１３】  作用について説明すると、吹出しノズル１１ｂが、内部を通過する空気によって激しく揺れ動き、その構造が簡単にも拘わらず、掃除対象の面２０への空気の吹出し位置及び方向が激しく変化する。そのため、吸引ノズル１１の先端開口面１１ａが壁等の掃除対象の面２０に当接されるか、又は僅かな隙間を残して近付けられ、そのまま暫らく静止すれば、掃除対象の面２０を往復移動しなくても、それで覆われた面全体に、吹出しノズル１１ｂによって空気が吹付けられ、その面に付着乃至固着していたダストが攪乱され、発塵する。そのため、従来の固定の吹出しノズルを備えたものに比べて、その吸引ノズル１１によって覆われた掃除対象の面２０内のダストを効果的に短時間で掃除可能である。【００１４】  なお、広範囲に亘る掃除に使用される場合、例えば建物の壁面に沿って敷設された加圧空気配管の複数箇所に吹出し用ホース１３ａの接続管が設けられていれば、気体吐出機（図省略）から掃除対象の面近くまで長いホースが引張られることが不要となり、作業性が著しく向上する。【００１５】  本発明の第２の最良の形態例について図２により説明すると、吹出しノズル１１１ｂが、「吸込みノズル１１１の先端開口面１１１ａから突出していて、その先端開口面１１１ａが掃除対象の面２０に当接するか、又は接近した状態で、折れ曲がってそれに接触し、空気が噴出されると、激しく揺れ動き、前記掃除対象の面２０を激しく叩き、摩擦する程度の長さを有する」ということを除き、残りの構成は第１の最良の形態例のそれと同じである。なお、同一部品に対しては、図２に示すように、二桁の数字と英文字からなる第１の最良の形態例の部品記号の先頭に１が付加されてい��。【００１６】  作用について説明すると、第１の最良の形態例の作用効果に加えて、空気の噴出によって激しく揺れ動く前記吹出しノズル１１１ｂによって、前記掃除対象の面２０が激しく叩かれ、摩擦されるため、その掃除対象の面２０に固着したダストまでも剥離され、発塵し、従来掃除困難であった固着物質でも容易に且つ短時間に掃除可能である。
【実施例１】
【００１７】  直径１６０ｍｍの半球状の吸引ノズルの開口面に向って半球面の中心、内側から突出した吹出しノズルを除き、他の仕様が同一の第１の最良の形態例、第２の最良の形態例、従来例（空気吹出しノズル固定）について、風圧、風量が同一条件でコンクリート壁に塗布されたチョークの除去実験が行なわれた。その結果、完全に除去されるまでには、従来例モデルが２分掛かったのに比べて、第１の最良の形態例モデルが４５秒、第２の最良の形態例モデルが３０秒しか掛からなかった。
なお、使用された吸引装置及び空気圧縮機は次のものである。
１）バキュームクリーナー（日本真空株式会社製）
・機種：ＮＳ−１０４    ・真空圧：１９．６ｋＰａ      風量：２．４ｍ３／ｍｉｎ
２）コンプレッサー（ＴＯＳＨＩＢＡ製）
・機種：ＳＰ１０６−７５Ｔ８  最高圧力：０．９７Ｍｐａ  風量：８５５Ｌ／ｍｉｎ【００１８】  さらに第３の最良の形態例について図３及び図４により説明すると、「吸込みノズル２１１の先端開口面２１１ａの周囲に、後述のように気体吸引機によって掃除対象の面２０との間に高い負圧が形成され、それによって掃除対象の面２０に吸着、固定される吸盤２１１ｅを備えている」ことを除き、その基本的構成は、第２の最良の形態例のそれに同じである。従って、同種の部品に対しては、図３に示すように、二桁の数字と英文字からなる第２の最良の形態例の部品記号の先頭の数字が２に置き換えられている。【００１９】  補足説明すると、吸盤２１１ｅへの高い負圧の発生のためには、いずれも図示は省略するが、別に気体吸引機が設けられるか、又は、中央の通常吸引部分とは隔離され、例えば図１のフィルタ１２ｂと気体吸引機１２との間に対応する部分の負圧の最も高い部分と吸盤２１１ｅとがホースで連結されている。なお、２１１ｆは吸盤用のノズルである。また、図４では吸引ノズル２１１は断面が長方形に形成されているが、これに限定されるものではなく、上述したように円でもよい。さらに、吸引ノズル２１１は軽量化のため、例えば気密の化学繊維シートで作られたものが使用されること、先端の縁に、空気の出入が少なくなるようブラシ（図示省略）が付けられることが好ましい。図では吸盤２１１ｅは円形であるが、先端開口面２１１ａの全周に付けられた額縁状のものでもよい。【００２０】  作用について説明すると、床面だけでなく、天井面や壁等、大きくて、重い吸引ノズルの支持が困難であった高所の掃除対象の面２０に対しても容易に支持固定可能であり、吸引ノズルの支持の負担が著しく軽減され、作業が楽になる。なお、吹出しノズルがより短くされ、第１の最良の形態例同様に、掃除対象の面２０に接触しないように構成されたものでもよい。
【図面の簡単な説明】
【００２１】
【図１】本発明の第１の最良の形態に係わる吸込み式掃除機の吸込みノズルを示す断面図である。
【図２】本発明の第２の最良の形態に係わる吸込み式掃除機の吸込みノズルを示す断面図である。
【図３】本発明の第３の最良の形態に係わる吸込み式掃除機の吸込みノズルを示す断面図である。
【図４】図３の斜視図である。
【符号の説明】
【００２２】１０    吸込み式掃除機
１１    吸引ノズル
１１ａ  先端開口面
１１ｂ  吹出しノズル
１１ｃ  ヘッダ
１１ｄ  付け根
１１ｋ  ヘッダ
１２ａ  吸込み用ホース
１２ｂ  フィルタ
１３    気体吐出機
１３ａ  吹出し用ホース
１１１    吸引ノズル
１１１ａ  先端開口面
１１１ｂ  吹出しノズル
１１１ｃ  ヘッダ
１１１ｋ  ヘッダ
２１１    吸引ノズル
２１１ａ  先端開口面
２１１ｂ  吹出しノズル
２１１ｃ  ヘッダ
２１１ｅ  吸盤
２１１ｆ  吸盤用ノズル
２１１ｋ  ヘッダ
１２      気体吸引機
２０      除対象の面
【図１】
2005177428.tif 000003
【図２】
2005177428.tif 000004
【図３】
2005177428.tif 000005
【図４】
2005177428.tif 000006